(57)【要約】【課題】ラッチ先端部に対する緩衝機能を発揮させること。【解決手段】ラッチ先端部が係脱するラッチ用収容部を有するラッチ錠用の受け具に於いて、前記ラッチ用収容部を、三方開口を有する収容部に形成し、この収容部の中央部に少なくとも一つの保持機能を有する付勢バネ３１を介して左右に係合壁部２５，２６を有する可動係合枠体２１を位置付け、該可動係合枠体２１は、係合壁部２５，２６のいずれかに前記ラッチ先端部の傾斜面８が衝突したときは、該ラッチ先端部は衝突した該係合壁部を越えて可動係合枠体２１の収納空間２７に入り込み、これに対して、前記ラッチ先端部の被係止面７が衝突したときは、該ラッチ先端部は衝突した該係合壁部に受け止められ水平ガイド１６を介して所定量スライドするラッチ錠用の受け具。【選択図】図１
2009068299.tif 000002
【特許請求の範囲】
【請求項１】
上下方向の二つのラッチ先端部が係脱する上下のラッチ用収容部を有するラッチ錠用の受け具に於いて、前記収容部の少なくとも一方は、正面開口とこれに連通する左右開口とを有し、また、正面開口の上下の開口壁部には水平ガイドをそれぞれ形成し、これらの水平ガイドには上端部と下端部がそれぞれ左右一対の付勢バネで挟持された状態でスライド嵌合し、かつ該上端部と下端部に連設する左右の係合壁部が前記正面開口の中央部に位置するラッチ先端部用の可動係合枠体を組み込み、閉扉時、ラッチ先端部の一方が左右開口のいずれかから進入して前記収容部に入り込む際、該ラッチ先端部の被係止面が係合壁部に衝突した場合には、可動係合枠体は、他方の係合壁部側の付勢バネのバネ力に抗してかつ水平ガイドに案内されながら所定位置までスライドし、これに対して、ラッチ先端部の傾斜面が係合壁部に衝突した場合には、該ラッチ先端部は該係合壁部を乗り越えて可動係合枠体の収納空間に入り込むラッチ錠用の受け具。
【請求項２】
ラッチ先端部が係脱するラッチ用収容部を有するラッチ錠用の受け具に於いて、前記ラッチ用収容部を、三方開口を有する収容部に形成し、この収容部の中央部に、少なくとも一つの保持機能を有する付勢バネ３１を介して左右に係合壁部２５，２６を有する可動係合枠体２１を位置付け、該可動係合枠体２１は、係合壁部２５，２６のいずれかに前記ラッチ先端部の傾斜面８が衝突したときは、該ラッチ先端部は衝突した該係合壁部を越えて可動係合枠体２１の収納空間２７に入り込み、これに対して、前記ラッチ先端部の被係止面７が衝突したときは、該ラッチ先端部は衝突した該係合壁部に受け止められ水平ガイド１６を介して所定量スライドするラッチ錠用の受け具。
【請求項３】
請求項２に於いて、ラッチ用収容部は、上下方向にそれぞれ形成され、上側のラッチ用収容部４Ａ及び下側のラッチ用収容部４Ｂの両方に可動係合枠体２１が嵌め込まれていることを特徴とするラッチ錠用の受け具。
【発明の詳細な説明】
【技術分野】
【０００１】
本発明は、ラッチ錠用の受け具に関する。
【背景技術】
【０００２】
特許文献１には、「固定側に取付けられ、かつ自由扉の自由端部に取付けられた錠本体の組となる上下方向の二つのラッチ先端部が係脱するラッチ錠用の受け具」がそれぞれ記載されている。
【０００３】
ここでは、特許文献１について記述する。特許文献１の受け具を含むラッチ錠は、次の構成から成る（公報中の符号も入れる）。
【０００４】
すなわち、このラッチ錠は、（Ａ）固定側に取付けるラッチ受部材（２）と、揺動扉側に取付ける突没自在で且つ一対となる少なくとも２つのラッチ部材（４０ａ、４０ｂ）とを備え、（Ｂ）ラッチ受部材２には、一対のラッチ部材（４０ａ、４０ｂ）にそれぞれ対応して扉の揺動方向中央よりにラッチ先端部収容部（５２ａ、５２ｂ）と、一のラッチ先端部収容部５２ａの揺動方向右側と他のラッチ先端部収容部５２ｂの揺動方向左側とに相互に対称的にラッチ係止部（５１ａ、５１ｂ）を有し、（Ｃ）ラッチ部材の先端部を形成するラッチ先端部（４１ａ、４１ｂ）は、ラッチ係止部に当接係止する係止面部（４２ａ、４２ｂ）とラッチ係止部（５１ａ、５１ｂ）に当接して没入する傾斜面部（４３ａ、４３ｂ）とからなる扉の揺動方向断面において略直角三角形に形成してあり、（Ｄ）扉が閉じた状態で一のラッチ先端部（４１ａ）と他のラッチ先端部（４１ｂ）との係止面部（４２ａ、４２ｂ）がそれぞれラッチ係止部（５１ａ、５１ｂ）側に位置して相互に対称に有している。
【０００５】
上記構成に於いて、図１、図３及び図４に記載の受け具（ラッチ受部材）を参酌すると、受け具に中央部寄りの部位に形成された上位のラッチ先端部収容部（５２ａ）の構成は、例えば扉を手前からプッシュして閉めた場合に於いて、横断面略直角三角形状の一のラッチ先端部（４１ａ）の係止面部（４２ａ）がそのまま入り込み、かつ収容部（５２ａ）の内部（奥側）の側壁部分の内面に面接触状態に係合する二方向、或は正面視コ字形の切欠状横向き凹所である。
【０００６】
一方、同じく、中央部寄りの部位に形成された下位のラッチ先端部収容部（５２ｂ）の構成は、例えば扉を向こう側から閉めた場合に於いて、横断面略直角三角形状の一のラッチ先端部（４１ｂ）の係止面部（４２ｂ）がそのまま入り込み、かつ収容部（５２ｂ）の内部（手前に位置する奥側）の側壁部分の内面に面接触状態に係合する二方向、或は正面視逆コ字形の切欠状横向き凹所である。
【０００７】
このように、特許文献１の受け具の上下のラッチ先端部収容部（５２ａ、５２ｂ）は、それぞれ受け具の一側壁部分から中央部寄りの部位まで、上下方向に、かつ回転対称に形成された二方向の切欠状横向き凹所である。
【０００８】
上記構成の受け具は、扉を手前側からプッシュして閉めた場合、又は逆に扉を手前側に向けて閉めた場合のいずれであっても、上下方向に回転対称に位置するラッチ係止部（５１ａ、５１ｂ）でもって、扉側の上下のラッチ先端部（４１ａ、４１ｂ）を係止することができるという利点がある。
【０００９】
しかしながら、上下のラッチ先端部収容部（５２ａ、５２ｂ）は、それぞれ二方向の切欠状横向き凹所（固定型開口部）であることから、ラッチ先端部に対する緩衝的効果、開閉扉的効果（クリック感類似の扉の開閉感）、摩擦的抵抗感等を十分に与えることができないという問題点があった。
【００１０】
この問題点に関して付言すると、例えば扉を手前側から又は向こう側からプッシュして閉めた場合、一方の収容部（例えば５２ａ）は開口しているから、一のラッチ先端部（４１ａ）は、何らの摩擦抵抗を受けことなく、そのまま収容部（５２ａ）に入り込み、摩擦抵抗を受けるのは、他のラッチ先端部（例えば４１ｂ）だけである。したがって、ラッチ先端部に対する緩衝的効果、開閉扉的効果、摩擦的抵抗感等を十分に得ることができない。
【００１１】
それ故に、特許文献１の受け具の問題点に鑑み、ラッチ先端部に対する緩衝的効果、開閉扉的効果（クリック感類似の開閉感）、摩擦的抵抗感等を十分に与えることができる新規な受け具が望まれる。
【特許文献１】特開２００６−２３３４６２号公報
【発明の開示】
【発明が解決しようとする課題】
【００１２】
本発明の所期の目的は、自由扉のラッチ錠に対応する受け具を提供することを前提として、扉の閉鎖時、ラッチ先端部に対する緩衝的効果、開閉扉的効果（クリック感類似の開閉感）、摩擦的抵抗感等を十分に与えることができることである。
【課題を解決するための手段】
【００１３】
本発明のラッチ錠用の受け具は、上下方向の二つのラッチ先端部が係脱する上下のラッチ用収容部を有するラッチ錠用の受け具に於いて、前記収容部の少なくとも一方は、正面開口とこれに連通する左右開口とを有し、また、正面開口の上下の開口壁部には水平ガイドをそれぞれ形成し、これらの水平ガイドには上端部と下端部がそれぞれ左右一対の付勢バネで挟持された状態でスライド嵌合し、かつ該上端部と下端部に連設する左右の係合壁部が前記正面開口の中央部に位置するラッチ先端部用の可動係合枠体を組み込み、閉扉時、ラッチ先端部の一方が左右開口のいずれかから進入して前記収容部に入り込む際、該ラッチ先端部の被係止面が係合壁部に衝突した場合には、可動係合枠体は、他方の係合壁部側の付勢バネのバネ力に抗してかつ水平ガイドに案内されながら所定位置までスライドし、これに対して、ラッチ先端部の傾斜面が係合壁部に衝突した場合には、該ラッチ先端部は該係合壁部を乗り越えて可動係合枠体の収納空間に入り込むことを特徴とする。
【００１４】
また、本発明のラッチ錠用の受け具は、ラッチ先端部が係脱するラッチ用収容部を有するラッチ錠用の受け具に於いて、前記ラッチ用収容部を、三方開口を有する収容部に形成し、この収容部の中央部に、少なくとも一つの付勢バネ３１を介して左右に係合壁部２５，２６を有する可動係合枠体２１を位置付け、該可動係合枠体２１は、係合壁部２５，２６のいずれかに前記ラッチ先端部の傾斜面８が衝突したときは、該ラッチ先端部は衝突した該係合壁部を越えて可動係合枠体２１の収納空間２７に入り込み、これに対して、前記ラッチ先端部の被係止面７が衝突したときは、該ラッチ先端部は衝突した該係合壁部に受け止められ水平ガイド１６を介して所定量スライドすることを特徴とする。
【発明の効果】
【００１５】
扉の閉鎖時、ラッチ先端部に対する緩衝的効果、開閉扉的効果（クリック感類似の開閉感）、摩擦的抵抗感等を十分に与えることができる。
【発明を実施するための最良の形態】
【００１６】
以下、図１乃至図９に示す本発明を実施するための最良の形態により説明する。
【００１７】
（１）発明の実施の環境
本発明はラッチ錠用の受け具に関するものであることから、まず、図１乃至図３を参照にして、発明の実施の環境を簡単に説明する。
【００１８】
図１乃至図３に於いて、１は固定側の部材で、例えば戸枠の縦枠である。２は固定側の部材１に垂直状態に固定されるラッチ錠用の受け具で、この受け具２は固定側の部材１から突出する。受け具２は、上下方向に区分けして形成されたラッチ用の収容部４Ａ、４Ｂを有している。したがって、受け具２は、扉３の開放側縁部（自由端部）に組み込まれたラッチ錠の上下のラッチ５Ａ、５Ｂの位置に対応して固定側の部材１に固定される。
【００１９】
ラッチ錠の構造そのものについては、本発明の特定要件ではないので、詳細な説明は割愛する。また、ラッチ錠を構成するラッチは、特許文献１に記載のラッボルト（反転しないで、そのまま進退動する係合ボルト）、又は特開平８−１００５５９号公報、特許公開平９−３２５２４８号公報、特許公開平１０−３１１１７３号公報等に記載されている、いわゆる反転ラッチ（反転しながら後退動するタイプ）のいずれであっても良い。本実施例では、前者の例で説明する。
【００２０】
ここで、ラッチ５Ａ、５Ｂの主な部分に符号を付ける。符号ａは上側に位置するラッチ５Ａのラッチ先端部、一方、符号ｂは下側に位置するラッチ５Ｂのラッチ先端部である。周知のように、ラッチ先端部ａ、ｂは、ラッチングする垂直面状の被係止面７と係合部に摺接する傾斜面８とを有している。また、各ラッチ５Ａ、５Ｂは、図１で示すように、被係止面７及び傾斜面８が相互に対称に位置するように配設されている。
【００２１】
すなわち、閉扉時、一つの可動係合枠体２１の左側の係合壁部２５には、上位のラッチ５Ａ（紙面上では上側）のラッチ先端部ａの傾斜面８が係合しているのに対して、他の可動係合枠体２１の左側の係合壁部２５には、下位のラッチ５Ｂ（紙面上では下側）のラッチ先端部ｂの被係止面７が係合している。このように上下のラッチ５Ａ、５Ｂは、対応する上下の可動係合枠体２１に対して対称である。
【００２２】
（２）受け具
前述したように、受け具２は、固定側（戸枠の縦枠や柱）１に取付けられ、該受け具２の上下の収容部４Ａ、４Ｂに水平移動自在に配設された上下の可動係合枠体２１には、自由扉３の自由端部に取付けられた錠本体の組となる上下方向の二つのラッチ５Ａ、５Ｂの各先端部ａ、ｂが同時に係脱する。
【００２３】
そこで、図１を参照にして受け具２の構成を説明する。まず、４Ａは上端部４ａ寄りの部位に形成された上側の収容部、一方、４Ｂは下端部４ｂ寄りの部位に形成された下側の収容部である。
【００２４】
これら上下の収容部４Ａ，４Ｂは正面開口１１と該正面開口１１に連通する左右開口１２、１３とを有する三方向の開口部となっている。
【００２５】
次に、１４は正面開口の上の開口壁部、一方、１５は正面開口の下の開口壁部である。これら上下の開口壁部１４、１５は収容部４Ａ，４Ｂの上壁部分と下壁部分に相当する。
【００２６】
しかして、上下の開口壁部１４、１５には、水平ガイド１６が対向して形成されている。本実施例の上下の水平ガイド１６は、受け具２の左側壁寄りの部位あるいは左開口１２付近から右側壁寄りの部位あるいは右開口１３付近まで一連に形成された水平案内長孔である。
【００２７】
また、上下の開口壁部１４、１５の各内部には、各水平ガイド１６とそれぞれ連通するガイド空間１７が設けられ、これら上下のガイド空間１７内には、可動係合枠体２１の上端部２２と下端部２３並びに左右一対の付勢バネ３１、３２がそれぞれ配設されている。なお、受け具２の上端部２ａと下端部２ｂには、固着具１８用の取付け孔１９がそれぞれ形成されている。
【００２８】
（３）可動係合枠体
主に図４及び図５を参照にして可動係合枠体２１の構成を説明する。可動係合枠体２１は、前壁と後壁が開口した縦断面縦長の環状形状である。本実施例では、図５で示すように周壁部の縦断面が矩形状である。
【００２９】
しかして、２２は前後の端面がチャンネル形状（下向きコ字形状）に形成された上端部、一方、２３は前後の端面がチャンネル形状（上向きコ字形状）に形成された下端部である。
【００３０】
これら上下端部２２、２３の左右の側壁部分の外面には、ガイド空間１７の左右にそれぞれ配設された複数個の付勢バネ３１、３２の内端部を支持する小突起状のバネ端支持部２４が設けられている。付言すると、これらのバネ端支持部２４は、本実施例では、受け具２の上下のガイド空間１７内に、前記可動係合枠体２１の上端部２２と下端部２３をそれぞれ挟持するように配設された左右一組の付勢バネ３１の数に対応して合計４個設けられている。
【００３１】
また、２５、２６は周壁部の中央部分の前側開口端に、舌片状に突出形成された左右一対の係合壁部である。これら左右の係合壁部２５、２６には対応するラッチが係脱すると共に、左右の係合壁部２５、２６の間は、いずれか一方の係合壁部を乗り越えたラッチが入り込む所定幅の収納空間２７となっている。
【００３２】
なお、本実施例では、周壁部の中央部分の後側開口端に左右一対の係合壁部２５、２６が舌片状に突出形成されているが、これは可動係合枠体２１を逆様にしても使用できる点を考慮したものである。したがって、左右の係合壁部２５、２６は、開口端のいずれか一方に存在すれば十分である。
【００３３】
（４）主な作用
ここでは、図２、図３、図７乃至図９を参照にして、本発明の作用について述べる。まず、図２及び図３、また、図６及び図７は、扉３が矢印Ａ方向へと回転し、左側から二つのラッチ先端部ａ、ｂが受け具２の上下の収容部４Ａ、４Ｂに進入し、上下の可動係合枠体２１の左の係合壁部２５に同時に衝突した場合の流れを概略的に示している。
前述したように、上下のラッチ５Ａ、５Ｂは、図１で示すように、被係止面７及び傾斜面８が相互に対称に位置するように配設されているから、図２、図６では、上のラッチ５Ａの傾斜面８が上方の可動係合枠体２１の左の係合壁部２５に当たる。これに対して、図３、図７では、下のラッチ５Ｂの被係止面７が下方の可動係合枠体２１の左の係合壁部２５に当たる。
【００３４】
そこで、閉扉時、扉３（ラッチ先端部）が矢印Ａ方向に回転移動し続けると、上方のラッチ５Ａは図示しないラッチバネのバネ力に抗して後退動し、そのラッチ先端部ａの傾斜面８は、上の可動係合枠体２１の左係合壁部２５を乗り越える。その結果、図７で示すように、ラッチ先端部ａは係合壁部２５、２６間の収納空間２７に入り込む。
【００３５】
これに対して、下方のラッチ５Ｂは、そのラッチ先端部ｂの被係止面７が下の可動係合枠体２１の左係合壁部２５と面接触状態となるので、図７で示すように、下の可動係合枠体２１は、ラッチ５Ｂにより受け具２の右側へ押圧されることになる。そこで、下の可動係合枠体２１は、ラッチ５Ｂの被係止面７を介して押圧されると、上下の水平ガイド１６に案内されながら、かつ右側の付勢バネ３２のバネ力に抗してガイド空間１７内を右側へと移動する。そして、扉３が閉まると、図８で示すように、上下のラッチ５Ａ、５Ｂは、上下の収容部４Ａ、４Ｂの略中央部内に上下の可動係合枠体２１を介して鉛直線上に揃う。
【００３６】
なお、図９は、右側から二つのラッチ先端部ａ、ｂが矢印Ｂ方向へと受け具２に進入して対応する上下のラッチ５Ａ、５Ｂ用の収容部４Ａ、４Ｂに同時に入り込む場合を概念的に示している。この場合、上記の作動態様とは逆になることから、上のラッチ５Ａのラッチ先端部ａは、上の可動係合枠体２１を左側の付勢バネ３１のバネ力に抗して左側へと押し込んで行き、一方、下のラッチ５Ｂのラッチ先端部ｂは、下の可動係合枠体２１の係合壁部２５、２６間の収納空間２７に入り込む。
【００３７】
このように、本発明は、閉扉時、ラッチ先端部ａ、ｂの一方が受け具２の左右開口１２、１３のいずれかから進入して上下の収容部４Ａ、４Ｂに入り込む際、該ラッチ先端部ａ、ｂの被係止面７が一方の係合壁部（２５、２６）に衝突した場合には、その可動係合枠体２１は、他方の係合壁部側（２５、２６）の付勢バネ（３２、３３）のバネ力に抗して、かつ水平ガイド１６に案内されながら所定の位置までスライドする。
【００３８】
これに対して、ラッチ先端部ａ、ｂの傾斜面８が係合壁部（２５、２６）に衝突した場合には、該ラッチ先端部は該係合壁部を乗り越えて可動係合枠体２１の収納空間２７に入り込む点に特徴がある。
【実施例】
【００３９】
実施形態で説明した第１実施例に於いて、受け具２に上下に所定間隔を有して三方向の収容部４Ａ、４Ｂをそれぞれ形成しているが、いずれか一方、例えば下の収容部４Ｂを、上方の収容部４Ａとは異なる開口部（例えば特許文献１に記載の二方向の開口部）にしても良い。また、いずれか一方に嵌め込まれた可動係合枠２１の形態や構造を適宜に設計変更しても良い。要は、発明の所期の目的を達成し得る限り、本実施例のように、収容部の少なくとも一方に緩衝部材を組み込めば良い。
【００４０】
そこで、図１０乃至図１５を参照にして、要部の一部を設計変更した第２実施例について説明する。なお、第２実施例の説明に当たって、第１実施例と同一の部分には同一の符号を付して重複する説明を省略する。第２実施例の主な相違点は、次の通りである。
【００４１】
（ａ）まず、図１０で示すように、受け具２の水平ガイド１６の数や位置の変更である。第１実施例の水平ガイド１６は上下の開口壁部１４、１５にそれぞれ形成されているのに対して、第２実施例の水平ガイド１６は収容部４Ａ、４Ｂを形成する奥の垂直壁に一つ形成されている。付言すると、第１実施例及び第２実施例の水平ガイド１６は、左側壁寄りの部位あるいは左開口１２付近から右側壁寄りの部位あるいは右開口１３付近まで一連に形成された水平案内長孔である点は同様であるが、水平ガイド１６を形成する部位や数が異なっている。もちろん、第２実施例の水平ガイド１６は中央部或いは上部側であっても良い。また、下部側と上部側に水平状態に複数本形成しても良い。さらには、水平ガイド１６は水平案内長孔以外にガイド溝、ガイド突起等に変更することもできる。
【００４２】
（ｂ）次に、図１１乃至図１３に示すように、可動係合枠体２１の形状、バネ端支持部２４や付勢バネの数の変更である。本発明の中核は、左右に係合壁部２５、２６を有する可動係合枠体２１を、三方開口を有する少なくとも一つの収容部（４Ａ、４Ｂ）に水平ガイドを介して水平方向にスライド自在に嵌め込んだ事項であるから、例えば一方の保持機能を有する付勢バネ３１をガイド空間１７に配設し、該付勢バネ３１の一端部をガイド空間１７の内壁面に固定し、一方、付勢バネ３１の他端部を可動係合枠体２１の係合壁部２５のバネ端支持部２４に固定した点が第１実施例と相違する。
【００４３】
（ｃ）なお、付勢バネの数を第２実施例のように減らし、可動係合枠体２１を保持する機能を付与した場合には、望ましくは、水平ガイド１６を、例えば奥の垂直壁の下部側に形成し、該水平ガイド１６に係合する係合突起部材（例えば係合螺合体としてのネジ）４１を可動係合枠体２１に取付ける。そこで、第２実施例では、可動係合枠体２１の背面下部に水平板部４２を設け、該水平板部４２に前記係合突起部材４１に螺着する取付け部（メネジ部）４３を設けた。
【００４４】
上記のように構成すると、図１４及び図１５で示すように、左右に係合壁部２５、２６を有する可動係合枠体２１は、三方開口を有する収容部４Ａ、４Ｂにそれぞれ嵌め込まれ、また、少なくとも一つの保持機能を有する付勢バネ３１を介して前記収容部４Ａ、４Ｂの中央部に保持され、例えば自由扉３が矢印Ａ方向へと移動して上下のラッチ５Ａ、５Ｂの被係止面７並びに傾斜面８がそれぞれ上下の可動係合枠体２１の一方の係合壁部２５に同時に衝突したときは、図１４で示す上のラッチ５Ａは、その傾斜面８が一方の係合壁部２５を越えて可動係合枠体２１の収納空間２７に入り込み、これに対して、図１５で示す下のラッチ５Ｂは、一方の係合壁部２５にその被係止面７が受け止められるから、係合突起部材４１及び水平ガイド１６を介して矢印Ａ方向へ所定量スライドする。このように、第１実施例の構成を、当業者が実施可能の範囲で適宜に設計変更することができる。
【産業上の利用可能性】
【００４５】
本発明は、主に錠前や建具の業界で利用される。
【図面の簡単な説明】
【００４６】
図１乃至図９は、本発明の第１実施例の受け具を示す各説明図。図１０乃至図１５は、本発明の第２実施例の受け具を示す各説明図。
【図１】取付けの環境状態を示す概略説明図。
【図２】閉扉の際の要部の横断面説明図（上方のラッチ先端部ａの係合状態を示す平面視）。
【図３】閉扉の際の要部の横断面説明図（下方のラッチ先端部ｂの係合状態を示す平面視）。
【図４】要部（可動係合枠体と付勢バネ）の斜視図。
【図５】図４の５−５線断面図。
【図６】作用の概念図（扉或いはラッチ先端部ａが矢印Ａ方向へ移動）。
【図７】作用の概念図（扉或いはラッチ先端部ｂが矢印Ａ方向へ移動）。
【図８】図６、図７における閉扉時の状態を示す概略説明図。
【図９】作用の概念図（扉或いはラッチ先端部が矢印Ｂ方向へ移動）。
【図１０】本発明の第２実施例を示す概略説明図。
【図１１】設計変更した要部の斜視からの説明図。
【図１２】図１１の１２−１２線断面図。
【図１３】図１１の１３−１３線断面図。
【図１４】上のラッチ５Ａの傾斜面が、一方の係合壁部２５に衝突した場合に概略説明図。
【図１５】下のラッチ５Ｂの被係止面が、一方の係合壁部２５に衝突した場合に概略説明図。
【符号の説明】
【００４７】
1…固定側の部材、２…受け具、３…扉、４Ａ…上の収容部、４Ｂ…下の収容部、５Ａ、５Ｂ…上下のラッチ、ａ、ｂ…ラッチ先端部、７…被係止面、８…傾斜面、１１…正面開口、１２…左開口、１３…右開口、１４…上の開口壁部、１５…下の開口壁部、１６…水平ガイド、１７…ガイド空間、２１…可動係合枠体、２２…上端部、２３…下端部、２４…バネ端支持部、２５、２６…係合壁部、２７…収納空間、３１、３３…付勢バネ、４１…係合突起部材、４３…取付け部（メネジ部）。
【図１】
2009068299.tif 000003
【図２】
2009068299.tif 000004
【図３】
2009068299.tif 000005
【図４】
2009068299.tif 000006
【図５】
2009068299.tif 000007
【図６】
2009068299.tif 000008
【図７】
2009068299.tif 000009
【図８】
2009068299.tif 000010
【図９】
2009068299.tif 000011
【図１０】
2009068299.tif 000012
【図１１】
2009068299.tif 000013
【図１２】
2009068299.tif 000014
【図１３】
2009068299.tif 000015
【図１４】
2009068299.tif 000016
【図１５】
2009068299.tif 000017